(57)【特許請求の範囲】
【請求項１】
後輪側ナックルとサブフレームとの間において、上部の一側にアッパーアームが連結され、上部の他側に節点可変手段と連結されたアシストリンクが設けられた能動制御サスペンションシステムであって、
前記節点可変手段は、前記サブフレームの一部に形成されたハウジングと、前記ハウジングのブラケットに着脱式に結合された可変軌跡キットと、前記可変軌跡キットに固定されたカム作動レールと、前記可変軌跡キットに上下方向にスライド可能に配置されたカムと、前記カム及びアシストリンクの車体側連結部を連結するカムボルトと、を有することを特徴とする能動制御サスペンションシステム。
【請求項２】
前記可変軌跡キットは、両側面を形成し前記ハウジングのブラケットに着脱式に固定される一対の縦部材と、前記一対の縦部材の下部を連結する横部材と、で構成され、前記縦部材それぞれの中央に貫通孔が形成され、前記アシストリンクの車体側連結部が前記一対の縦部材の間に位置されることを特徴とする請求項１に記載の能動制御サスペンションシステム。
【請求項３】
前記可変軌跡キットは、前記一対の縦部材の中の一方の縦部材の上側及び車体側に突出部が形成され、前記突出部にボルト貫通孔が形成されて、前記ブラケットにボルトで締結されることを特徴とする請求項２に記載の能動制御サスペンションシステム。
【発明の詳細な説明】
【技術分野】
【０００１】
本発明は、能動制御サスペンションシステムに係り、より詳しくは、精密部品をキット化しハウジングを共用化することにより開発費用、製造費用、及び点検費用を節減した能動制御サスペンションシステムに関する。
【背景技術】
【０００２】
一般的に、リアサスペンションに適用される能動制御サスペンションシステム（ＡＧＣＳ：Ａｃｔｉｖｅ  Ｇｅｏｍｅｔｒｙ  Ｃｏｎｔｒｏｌ  Ｓｕｓｐｅｎｓｉｏｎ  Ｓｙｓｔｅｍ）は、走行中の急旋回時に、リアサスペンションのジオメトリを変化させることによって後輪の接地力を向上させ、ハンドリング性能を改善する装置である。
車両の急旋回走行時にオーバーステア傾向が現れて操縦安定性が低下するが、能動制御サスペンションシステムはこれを解消するために、急旋回走行時に旋回外側後輪をトーイン（Ｔｏｅ−ｉｎ）に誘導して車両の操縦安定性を向上させる。
【０００３】
図１は、一般的な能動制御サスペンションシステムの一例を示す斜視図である。
図１に示すように、能動制御サスペンションシステムは、後輪（Ｗ）側ナックル１とクロスメンバ３に設置されたサブフレーム５との間の、下部にロアアーム７が設置され、上部の一側にアッパーアーム９が設置され、上部の他側に節点可変手段２０と連結されたアシストリンク１１が設置されて構成される。
アシストリンク１１は、一端がボールジョイント（ＢＪ）によってナックル１の上部に連結され、他端は節点可変手段２０によってサブフレーム５に連結されて車体側節点（Ｐ）を形成する。
【０００４】
図２は、図１の能動制御サスペンションシステムに適用されるアシストリンク及び節点可変手段の側面斜視図であり、図３は、図１の内部構成図である。
図２、３に示すように、節点可変手段２０は、レール装着溝２１が形成されたハウジング２３、カム作動レール２５、カム２７、回転レバー２９、モータ３１、及びスライダ３３を含んで構成される。
【０００５】
ハウジング２３は、サブフレーム５と一体に形成される。ハウジング２３の両側面に円弧形のレール装着溝２１が形成される。
カム作動レール２５は、ハウジング２３のレール装着溝２１に固定される。
カム２７は、カム作動レール２５の外側に車両の上下方向スライド可能に結合され、アシストリンク１１の車体側連結部とボルト３５によって連結される。
アシストリンク１１の車体側連結部の一側の両面に接して一対の回転レバー２９が設置される。それぞれの回転レバー２９は、一端がハウジング２３にヒンジ連結されてヒンジ点（Ｈ）を形成し、他端にはフォーク３７が形成されてスライダ３３と連結される。
モータ３１は減速機３９を含み、回転軸を形成するスクリュー軸４１が車両下方に向かうように配置される。
【０００６】
スライダ３３は、中央部分がスクリュー軸４１にスクリュー結合され、スクリュー軸４１の回転方向に応じて車両の上下方向に移動するように構成される。
また、スライダ３３には２つのガイドピン４３が車両の上下方向に貫通して配置され、スクリュー軸４１の回転時にスライダ３３の回転を防ぎながら、スライダ３３の車両上下方向への移動を案内する。
また、スライダ３３の両側にフォーク突起４５が形成され、回転レバー２９のフォーク３７に係合される。
【０００７】
上述した能動制御サスペンションシステムは、車両の急旋回走行時にバンプが起こる旋回外側後輪（Ｗ）をトーインに誘導する。
すなわち、車両の急旋回走行時に、図示しない制御装置が、モータ３１を駆動してスライダ３３を下方へ移動させることにより、スライダ３３に連結された回転レバー２９がヒンジ点（Ｈ）を基準として回転される。
【０００８】
これにより、アシストリンク１１の車体側節点（Ｐ）をなす車体側連結部がカム２７と共にカム作動レール２５に沿って下降し、アシストリンク１１の車体側節点（Ｐ）の位置を下方に移動させる。
したがって、旋回外側後輪（Ｗ）はトーイン値が増大し、車両の高速旋回時、横風時、急斜線変更時などの状況で車両の旋回安定性を向上させ、車両の安定した走行性能を実現させる。
【０００９】
しかし、上述した能動制御サスペンションシステムは、レール装着溝２１がハウジング２３自体に形成されているため、開発過程においてカム作動レール２５の軌跡を変更しながら性能チューニングを行う場合に、レール装着溝２１の軌跡も変更しなければならないため、軌跡を変更するたびごとにハウジング２３全体を新たに製作しなければならず、過大な費用を要するという問題点がある。
【先行技術文献】
【特許文献】
【００１０】
【特許文献１】特開２０１０−５２５８３号公報
【発明の概要】
【発明が解決しようとする課題】
【００１１】
かかる課題を解決するための本発明は、開発費用、製作費用、及び点検費用を節減できるようにした能動制御サスペンションシステムを提供することを目的とする。
【課題を解決するための手段】
【００１２】
本発明の能動制御サスペンションシステムは、後輪側ナックルとサブフレームとの間において、上部の一側にアッパーアームが連結され、上部の他側に節点可変手段と連結されたアシストリンクが設けられた能動制御サスペンションシステムであって、
節点可変手段は、サブフレームの一部に形成されたハウジングと、ハウジングのブラケットに着脱式に結合された可変軌跡キットと、可変軌跡キットに固定されたカム作動レールと、可変軌跡キットに上下方向にスライド可能に配置されたカムと、カム及びアシストリンクの車体側連結部を連結するカムボルトと、を有することを特徴とする。
【００１３】
また本発明の可変軌跡キットは、両側面を形成しハウジングのブラケットに着脱式に固定される一対の縦部材と、一対の縦部材の下部を連結する横部材と、で構成され、縦部材それぞれの中央に貫通孔が形成され、アシストリンクの車体側連結部が一対の縦部材の間に位置されることを特徴とする。
また本発明の可変軌跡キットは、一対の縦部材の中の一方の縦部材の上側及び車体側に突出部が形成され、突出部にボルト貫通孔が形成されて、ブラケットにボルトで締結されることを特徴とする。
【発明の効果】
【００１４】
本発明の能動制御サスペンションシステムは、開発過程において車両のトー変化性能の向上のためのチューニング作業中に軌跡を変形しようとする場合には、ハウジングを共用化し可変軌跡キットのみを新たに製作して適用することにより、開発費を節減することができる。
また、本発明の能動制御サスペンションシステムは、車両製造時に、多車種共用のハウジングを大量生産することにより、製造費を節減できる。
更に、本発明の能動制御サスペンションシステムは、点検よる部品の交替時に可変軌跡キットのみを交替できるようにすることにより、修理・点検費用を節減できる。
【図面の簡単な説明】
【００１５】
【図１】一般的な能動制御サスペンションシステムの一例を示す斜視図である。
【図２】図１の能動制御サスペンションシステムに適用されるアシストリンク及び節点可変手段の側面斜視図である。
【図３】図１の能動制御サスペンションシステムに適用されるアシストリンク及び節点可変手段の内部構成図である。
【図４】本発明の能動制御サスペンションシステムの分解斜視図である。
【図５】本発明の能動制御サスペンションシステムに適用される可変軌跡キットの組み立て部を切開した斜視図である。
【図６】本発明の実施形態に係る能動制御サスペンションシステムに適用されるアシストリンク及び節点可変手段の側面図である。
【発明を実施するための形態】
【００１６】
以下に、添付の図面を参照しながら、本発明の実施形態について詳細に説明する。ここで、同一又は類似する構成要素については同一の符号を付す。
図４は、本発明の能動制御サスペンションシステムの分解斜視図であり、図５は、本発明の能動制御サスペンションシステムに適用される可変軌跡キットの組み立て部を切開した斜視図である。
【００１７】
図４、５に示すように、能動制御サスペンションシステムの節点可変手段２０が配置されるハウジング１００は、後輪側クロスメンバ１１０の両側に設置されるサブフレーム１１１の一部に形成される。
【００１８】
ハウジング１００には、車両の長さ方向に互いに一定の間隔をおいて、ホイール側に突出する一対のブラケット１０１が形成され、ブラケット１０１それぞれにはレール装着ホール１０２が形成される。
【００１９】
レール装着ホール１０２には、可変軌跡キット１２０が着脱可能に設置される。
可変軌跡キット１２０は、両側面を形成する一対の縦部材１２１と、縦部材１２１の下部を一体に連結する横部材１２２と、を有する。
縦部材１２１は、ブラケット１０１に対応して形成されブラケット１０１に着脱式に固定される。縦部材１２１の中央部分には、貫通孔１２３が形成され、貫通孔１２３にはカムボルト１１２が貫通され、カム１４０が車両上下方向にスライド可能に設置される。一対の縦部材１２１の間にはアシストリンクの車体側連結部が位置される。
【００２０】
また、縦部材１２１の両側面にはレール載置部１２４が形成され、レール載置部１２４にカム作動レール１３０が載置される。
一側の縦部材１２１の、車両上下方向上方、及び車幅方向内側それぞれには突出部１２５が突設され、それぞれの突出部１２５にはボルト貫通孔１２６が形成される。
可変軌跡キット１２０がブラケット１０１に挿入された状態で、固定ボルト１２７がボルト貫通孔１２６に挿入されブラケット１０１に螺結される。
【００２１】
ボルト貫通孔１２６を、上方に設けられた突出部１２５に１個、車幅方向に設けられた突出部１２５に２個形成することにより、３点固定がなされる。
レール載置部１２４に配置されるカム作動レール１３０は、精密加工品として別途に製作して適用される。カム作動レール１３０のみを別途に製作する理由は、カム作動レール１３０を一体に形成すると、カム１４０の軌跡を変更するたびに可変軌跡キット１２０全体を精密加工しなければならず、製造原価が上昇するためである。
【００２２】
図６は、本発明の実施形態に係る能動制御サスペンションシステムに適用されるアシストリンク及び節点可変手段の側面図である。
図６に示すように、カム１４０が、カム作動レール１３０の外側に上下方向にスライド可能に結合され、アシストリンク１１３の車体側連結部とカムボルト１１２によって組み立てられる構成により、節点可変手段２０が形成される。
【００２３】
なお、カム作動レール１３０、カム１４０などの構成及び節点可変手段２０の作動は既存のものと同じであるため、詳細な説明は省略する。
上述したように、可変軌跡キット１２０を別途に製作して節点可変手段２０を構成すれば、車両のトー変化性能向上のためのチューニング作業過程中にカムの移動軌跡を変形する場合、可変軌跡キット１２０のみを新たに製作して適用すれば、加工費を節減することができる。
【００２４】
また、車種別の最適性能を発揮する作動軌跡が変わる場合にも、ハウジング１００は各車種共用で制作し、可変軌跡キット１２０のみを別途製作して適用すれば良いため、車両の開発費及び大量生産による量産製品の価格を削減するることができる。
さらに、実車に適用される場合、点検による部品の交換時にも、可変軌跡キット１２０のみを交換することにより、費用を削減することができ、消費者の満足度を向上させることができるようになる。
【００２５】
以上、本発明に関する好ましい実施形態を説明したが、本発明は前記実施形態に限定されず、本発明の属する技術範囲を逸脱しない範囲での全ての変更が含まれる。
【符号の説明】
【００２６】
２０      節点可変手段
１００      ハウジング
１０１      ブラケット
１０２      レール装着ホール
１１０      後輪側クロスメンバ
１１１      サブフレーム
１１２      カムボルト
１１３      アシストリンク
１２０      可変軌跡キット
１２１      縦部材
１２２      横部材
１２３      貫通孔
１２４      レール載置部
１２５      突出部
１２６      ボルト貫通孔
１２７      固定ボルト
１３０      カム作動レール
１４０      カム
【図１】
0005965769.tif 000002
【図２】
0005965769.tif 000003
【図３】
0005965769.tif 000004
【図４】
0005965769.tif 000005
【図５】
0005965769.tif 000006
【図６】
0005965769.tif 000007